(57)【要約】【課題】  ラインを切断することなく、調整用錘を交換可能なルアーを提供する。【解決手段】  概ね紡錘形をなすとともに後部に釣り針(22)を備えたルアー本体(20)と、そのルアー本体(20)へ着脱自在とした調整用錘(30)と、を備えたルアーである。  前記のルアー本体(20)における前記釣り針(22)とは反対側たる頭部付近へラインアイ(21)を備える。  前記の調整用錘(30)は、前記の釣り針(22)および前記のラインアイ(21)との間において前記のルアー本体(30)に対して前記のラインアイ(21)にライン(10)が結ばれた状態で着脱自在とするとともに、  前記の調整用錘(30)が前記のルアー本体(20)へ装着された状態を維持する装着維持機構を備える。【選択図】  図１
2016140253.tif 000002
【特許請求の範囲】
【請求項１】
概ね紡錘形をなすとともに後部に釣り針を備えたルアー本体と、そのルアー本体へ着脱自在とした調整用錘と、を備えたルアーであって、
前記のルアー本体における前記釣り針とは反対側たる頭部付近へラインアイを備え、
前記の調整用錘は、前記の釣り針および前記のラインアイとの間において前記のルアー本体に対して前記のラインアイにラインが結ばれた状態で着脱自在とするとともに、
前記の調整用錘が前記のルアー本体へ装着された状態を維持する装着維持機構を備えたルアー。
【請求項２】
前記の調整用錘および前記のルアー本体には、ルアー本体の長手方向に二カ所以上の装着部を備え、
前記の装着維持機構は、前記の装着部の少なくとも一カ所についての着脱を困難とするための部材または機構とした請求項１に記載のルアー。
【請求項３】
前記の調整用錘は、ラインアイ側においてラインアイ方向へ向く棒状の挿入軸と、その挿入軸に対してルアー本体の長手方向における反対側であってルアー本体側へ突出する挿入片と、を備え、
前記のルアー本体は、前記の挿入軸が挿入される挿入軸用穴と、前記の挿入片が挿入される挿入片用穴と、を備え、
前記の装着維持機構は、前記の挿入軸が前記の挿入軸用穴へ挿入された状態を維持するためのリング状部材として形成した請求項１または請求項２のいずれかに記載のルアー。
【請求項４】
前記のルアー本体は、ラインアイ側において釣り針側へ向く棒状の挿入軸と、その挿入軸に対してルアー本体の長手方向における反対側であって調整用錘側へ凸となる挿入片と、を備え、
前記の調整用錘は、前記の挿入軸が挿入される挿入軸用穴と、前記の挿入片が挿入される挿入凹部と、を備え、
前記の装着維持機構は、前記の挿入軸が前記の挿入軸用穴へ挿入された状態を維持するためのリング状部材として形成した請求項１または請求項２のいずれかに記載のルアー。
【請求項５】
前記の調整用錘は、ラインアイ側においてラインアイ方向へ向く棒状の挿入軸と、その挿入軸に対してルアー本体の長手方向における反対側にてルアー本体とは反対側へ凹となる挿入凹部と、を備え、
前記のルアー本体は、前記の挿入軸が挿入される挿入軸用穴と、前記の挿入凹部へ挿入される挿入片と、を備え、
前記の装着維持機構は、前記の挿入軸が前記の挿入軸用穴へ挿入された状態を維持するためのリング状部材として形成した請求項１または請求項２のいずれかに記載のルアー。
【請求項６】
前記のルアー本体は、ラインアイ側において釣り針側へ向く棒状の挿入軸と、その挿入軸に対してルアー本体の長手方向における反対側であって調整用錘とは反対側へ凹となる挿入凹部と、を備え、
前記の調整用錘は、前記の挿入軸が挿入される挿入軸用穴と、前記の挿入凹部へ挿入される挿入片と、を備え、
前記の装着維持機構は、前記の挿入軸が前記の挿入軸用穴へ挿入された状態を維持するためのリング状部材として形成した請求項１または請求項２のいずれかに記載のルアー。
【発明の詳細な説明】
【技術分野】
【０００１】
本発明は、ルアー（疑似餌）本体に調整用錘を装着して重量調整が可能なルアーに関する。
【背景技術】
【０００２】
通常、イカ釣用に用いられるルアー（餌木＝エギ、または釣用疑似餌）は、海老や蝦蛄の形態を模したルアー本体の後部に掛針を設け、釣用疑似餌本体における前方の下面側へ、水深の深い場所への落下を促すための錘部を設けている。
ルアー本体は、着水後には水の抵抗を受け難くして水面下へ素早く沈むことができるような形状として、様々な形状や大きさをなす非常に多くの種類が存在している。
また、ルアー本体には集魚効果を向上させるため、様々な着色が施されたり、眼の色を変更したりしており、同一形態であっても非常に多くの種類が存在する。
【０００３】
釣り人としては、現場の状況などから落下速度を変更したい場合が出てくる。このようなニーズに応えるため、特許文献1に開示されたような技術が提供される。すなわち、ルアー本体を変更するのではなく、ルアー本体へ着脱可能な錘体を装着したり、既に装着していた錘体の種類を変更したりすることができる「釣用疑似餌」が開示されている。
この釣用疑似餌は、疑似餌（ルアー）本体に、係止部が形成された錘部を設け、この錘部に接続部を介して錘が連結された別体の錘体（調整用錘）を着脱可能にする釣用疑似餌であって、前記錘部に、前記接続部を介して錘体を挟持させると共に、前記係止部に錘体を保持させるようにしたものである。
【０００４】
代表的な従来技術を、図８に基づいて説明する。ルアー本体１の長手方向の端部にラインアイ２を備え、そのラインアイ２とは反対端に掛針３を備え、ラインアイ２側の下部には、錘４を一体に備えている。更に、釣用疑似餌本体１の頭部には、ラインアイ２を貫通させて装着可能な調整用錘５が着脱自在となっている。
特許文献２に開示された技術は、釣用疑似餌本体の重量調整が容易であり、調整用錘が釣用疑似餌本体から脱落しにくい釣用疑似餌およびその錘体が開示されている。
【先行技術文献】
【特許文献】
【０００５】
【特許文献１】特開２００２−２２３６６９号公報
【特許文献２】特開２０１１−１６７０８５号公報
【発明の概要】
【発明が解決しようとする課題】
【０００６】
現場の状況に適合した色柄や大きさのルアー本体が選択できた後に、落下速度を変更したい場合が出てきた場合、特許文献1に開示されたような、ルアー本体へ着脱可能に形成された調整用錘を変更することとなる。
【０００７】
しかし多くの場合、ルアー本体１におけるラインアイへ接続されたライン２（釣り糸）を、いったん切断し、錘４を錘５へ交換してから、ふたたびライン２をラインアイへ結び直さなければならない（図７参照）。
【０００８】
本発明が解決すべき課題は、ラインを切断することなく、調整用錘を交換可能なルアーを提供することにある。
【課題を解決するための手段】
【０００９】
（第一の発明）
前述した課題を解決するため、本願では、概ね紡錘形をなすとともに後部に釣り針(22)を備えたルアー本体(20)と、そのルアー本体(20)へ着脱自在とした調整用錘(30)と、を備えたルアーを提供する。
前記のルアー本体(20)における前記釣り針(22)とは反対側たる頭部付近へラインアイ(21)を備える。
前記の調整用錘(30)は、前記の釣り針(22)および前記のラインアイ(21)との間において前記のルアー本体(30)に対して前記のラインアイ(21)にライン(10)が結ばれた状態で着脱自在とするとともに、  前記の調整用錘(30)が前記のルアー本体(20)へ装着された状態を維持する装着維持機構を備える。
【００１０】
（用語説明）
ルアー本体(30)は、対象魚の種類を限るものではない。調整用錘を交換したいルアーであれば採用可能である。
装着維持機構は、ルアー本体(30)に対してラインアイ(21)にライン(10)が結ばれた状態において調整用錘(30) がルアー本体(20)へ装着された状態を維持したり、ルアー本体(30)から調整用錘(30)を取り外す際にはラインアイ(21)にライン(10)が結ばれた状態のまま調整用錘(30)を取り外したりすることができる。他の請求項にて特定するリング状部材(23)のほか、多くの着脱機構が採用可能である。
【００１１】
（作用）
釣り人は、前記の釣り針(22)および前記のラインアイ(21)との間において前記のルアー本体(30)に対して前記のラインアイ(21)にライン(10)が結ばれた状態で、調整用錘(30)を装着する。装着したら、装着維持機構を用いて調整用錘(30)がルアー本体(20)へ装着された状態を維持する。
調整用錘(30)をルアー本体(20)から取り外すには、まず、装着維持機構に対して調整用錘(30)がルアー本体(20)へ装着された状態を解除する。
前述のような調整用錘(30)について、重量や大きさが異なる複数種類を用意しておくことで、ライン(10)を切断することなく釣り人が状況に応じて使い分けることができる。使い分けの際、ルアー本体(20)に対する調整用錘(30)の着脱が容易である。
【００１２】
（第一の発明のバリエーション１）
第一の発明は、以下のように形成することもできる。
すなわち、  前記の調整用錘(30)および前記のルアー本体(20)には、ルアー本体(20)の長手方向に二カ所以上の装着部を備え、  前記の装着維持機構は、前記の装着部の少なくとも一カ所についての着脱を困難とするための部材または機構とする。
ここで、「部材または機構」とは、たとえば、ワンタッチファスナ、ロック機構などである。
【００１３】
（作用）
ルアー本体(20)は流線型をなしていることがほとんどであり、その長手方向に二カ所以上の装着部を備えているので、装着状態が安定する。ルアー本体(20)と調整用錘(30)との着脱は、ライン(10)を切ることなく、簡易に行える。
【００１４】
（第一の発明のバリエーション２）
第一の発明は、以下のように形成してもよい。
すなわち、前記の調整用錘(30)は、ラインアイ(21)側においてラインアイ(21)方向へ向く棒状の挿入軸(31)と、その挿入軸(31)に対してルアー本体(20)の長手方向における反対側であってルアー本体(20)側へ突出する挿入片(32)と、を備える。
前記のルアー本体(20)は、前記の挿入軸(31)が挿入される挿入軸用穴(24)と、前記の挿入片(32)が挿入される挿入片用穴(25)と、を備え、  前記の装着維持機構は、前記の挿入軸(31)が前記の挿入軸用穴(24)へ挿入された状態を維持するためのリング状部材(23)として形成する。
【００１５】
（用語説明）
「リング状部材」は、Ｏリング（オーリング）の場合と、Ｃリング（シーリング（図４参照））の場合とがある。
Ｏリングを採用する場合には、弾性変形が可能な素材にて形成することが望ましいが（図３参照）、紐状部材を採用しても良い。Ｃリングを採用する場合には、その欠設部を用いて挿入軸(31)の出し入れをすることができるように、ルアー本体(20)にＣリングを納める部位を形成することとしてもよい。
【００１６】
（作用）
ルアー本体(20)へ調整用錘(30)を装着するには、挿入軸(31)を挿入軸用穴(24)へ挿入し、挿入片(32)を挿入片用穴(25)へ挿入する。そして、リング状部材(23)を用いて、挿入軸(31)が前記の挿入軸用穴(24)へ挿入された状態を維持する。
ルアー本体(20)から調整用錘(30)を外すには、リング状部材(23)を用いて、挿入軸(31)が前記の挿入軸用穴(24)へ挿入された状態を解除し、挿入軸(31)を挿入軸用穴(24)から抜き、挿入片(32)を挿入片用穴(25)から抜く。
以上により、ルアー本体(20)と調整用錘(30)との着脱は、ライン(10)を切ることなく、簡易に行える。
【００１７】
（第一の発明のバリエーション３）
第一の発明は、以下のように形成してもよい（図５参照）。
すなわち、前記のルアー本体(20)は、ラインアイ(21)側において釣り針(22)側へ向く棒状の挿入軸(27)と、その挿入軸(27)に対してルアー本体(20)の長手方向における反対側であって調整用錘側へ凸となる挿入片(26)と、を備える。
前記の調整用錘(30A)は、前記の挿入軸(27)が挿入される挿入軸用穴(33)と、前記の挿入片(26)が挿入される挿入凹部(34)と、を備える。
前記の装着維持機構は、前記の挿入軸(27)が前記の挿入軸用穴(33)へ挿入された状態を維持するためのリング状部材(40)として形成する。
【００１８】
（作用）
ルアー本体(20)へ調整用錘(30A)を装着するには、挿入軸(27)を挿入軸用穴(33)へ挿入し、挿入片(26)を挿入用穴(34)へ挿入する。そして維持用部材(40)を用いて、装着状態を維持する。
ルアー本体(20)から調整用錘(30A)を外すには、維持用部材(40)を外し、挿入軸(27)を挿入軸用穴(33から抜き、挿入片(26)を挿入用穴(34)から抜く。
以上により、ルアー本体(20)と調整用錘(30A)との着脱は、ライン(10)を切ることなく、簡易に行える。
【００１９】
（第一の発明のバリエーション４）
第一の発明は、以下のように形成してもよい（図６参照）。
すなわち、前記の調整用錘(30B)は、ラインアイ(21)側においてラインアイ(21)方向へ向く棒状の挿入軸(31)と、その挿入軸(31)に対してルアー本体(20)の長手方向における反対側にてルアー本体(20)とは反対側へ凹となる挿入凹部(34)と、を備える。
前記のルアー本体(20)は、前記の挿入軸(31)が挿入される挿入軸用穴(24)と、前記の挿入凹部(34)へ挿入される挿入片(26)と、を備える。
前記の装着維持機構は、前記の挿入軸(31)が前記の挿入軸用穴(24)へ挿入された状態を維持するための維持用部材(40)として形成する。
ここで、「維持用部材(40)」とは、輪ゴム、弾性部材製の紐などである。
【００２０】
（作用）
ルアー本体(20)へ調整用錘(30B)を装着するには、挿入軸(31)を挿入軸用穴(24)へ挿入し、挿入片(26)を挿入用穴(34)へ挿入する。そして維持用部材(40)を用いて、装着状態を維持する。
ルアー本体(20)から調整用錘(30B)を外すには、維持用部材(40)を外し、挿入軸(31)を挿入軸用穴(24)から抜き、挿入片(26)を挿入用穴(34)から抜く。
以上により、ルアー本体(20)と調整用錘(30B)との着脱は、ライン(10)を切ることなく、簡易に行える。
【００２１】
（第一の発明のバリエーション５）
第一の発明は、以下のように形成してもよい（図示を省略）。
すなわち、前記のルアー本体は、ラインアイ側において釣り針側へ向く棒状の挿入軸と、その挿入軸に対してルアー本体の長手方向における反対側であって調整用錘とは反対側へ凹となる挿入凹部と、を備える。
前記の調整用錘は、前記の挿入軸が挿入される挿入軸用穴と、前記の挿入凹部へ挿入される挿入片と、を備える。
前記の装着維持機構は、前記の挿入軸が前記の挿入軸用穴へ挿入された状態を維持するためのリング状部材として形成する。
【００２２】
（作用）
ルアー本体へ調整用錘を装着するには、ルアー本体の挿入軸を調整用錘の挿入軸用穴へ挿入し、調整用錘の挿入片をルアー本体の挿入用穴へ挿入する。そして維持用部材を用いて、装着状態を維持する。
ルアー本体から調整用錘を外すには、維持用部材を外し、挿入軸を挿入軸用穴から抜き、挿入片を挿入用穴から抜く。
以上により、ルアー本体と調整用錘との着脱は、ラインを切ることなく、簡易に行える。
【発明の効果】
【００２３】
本発明によれば、ラインを切断することなく、調整用錘を交換可能なルアーを提供することを提供することができた。
【図面の簡単な説明】
【００２４】
【図１】本発明の第一の実施形態に係るルアーの斜視図である。
【図２】本発明の第一の実施形態に係るルアー本体および調整用錘の組み立て斜視図である。
【図３】本発明の第一の実施形態に係るルアーの断面図である。
【図４】本発明の第二の実施形態に係るルアー本体および調整用錘の組み立て斜視図である。
【図５】本発明の第三の実施形態に係るルアー本体および調整用錘の組み立て斜視図である。
【図６】本発明の第四の実施形態に係るルアー本体および調整用錘の組み立て斜視図である。
【図７】本発明の実施形態に係る調整用錘のバリエーションを示す平面図である。
【図８】従来のルアーおよびその調整用錘を交換する場合を示す概念図である。
【発明を実施するための形態】
【００２５】
以下、本発明に係る釣用疑似餌および釣用疑似餌本体へ装着する調整用錘の実施形態について、図面を参照させながら説明する。実施形態を示す図面は、図1から図７である。比較のために図８を参照する場合もある。
【００２６】
（第一の実施形態）
図１および図２に示すように、ルアー本体２０は、イカ釣りに適した形状として海老や蝦蛄等の形態を模しており、胸びれを取付け、両眼を設け、適宜の色柄模様を付して構成される。
なお、実施形態としてイカ釣り用のルアーに採用して説明しているが、本願発明は、錘の着脱をするルアーであれば採用可能である。
【００２７】
ルアー本体２０の後部には、イカを引っ掛けるのに適した掛針としての釣り針２２が設けられている。
また、ルアー本体２０の頭部に備えた両眼の間付近から上方へ突出させたラインアイ２１を備えている。ラインアイ２１は、たとえばリング状の端部リング１１を介してライン１０を固定する。
【００２８】
調整用錘３０は、ルアー本体２０が水中で沈むように、例えばタングステン、ＳＵＳ、スズ等の比重の大きな金属材料によって形成されている。
上記のようなルアー本体２０に対して、水中での沈む速度やバランスの調整のため、着脱自在の調整用錘３０が装着される
この調整用錘３０は、釣り針２２およびラインアイ２１との間においてルアー本体３０に対してラインアイ２１にライン１９が結ばれた状態で着脱自在としている。図２および図３に基づいて、以下、更に具体的に説明する。
【００２９】
この調整用錘３０は、ラインアイ２１側においてラインアイ２１方向へ向く棒状の挿入軸３１と、その挿入軸３１に対してルアー本体２９の長手方向における反対側であってルアー本体２０側へ突出する挿入片３２と、を備えている。
ルアー本体２０は、調整用錘３０の挿入軸３１が挿入される挿入軸用穴２４と、調整用錘３０の挿入片３２が挿入される挿入片用穴２５と、を備えている。
また、挿入軸３１が前記の挿入軸用穴２４へ挿入された状態を維持するためのリング状部材２３を備えている。このリング状部材２３は、弾性変形が可能な素材としてシリコンゴムを採用している。
【００３０】
釣り人は、釣り針２２およびラインアイ２１との間においてルアー本体２０に対して前記のラインアイ２１にライン１９が結ばれた状態で、調整用錘３０を装着する。装着するには、まずリング状部材２３をライン１０側へずらしておく。調整用錘３０の挿入軸３１をルアー本体２０の挿入軸用穴２４へ挿入し、調整用錘３０の挿入片３２をルアー本体２０の挿入片用穴２５へ挿入する。そして、リング状部材２３を移動させて挿入軸３１を覆うようにし、挿入軸３１が挿入軸用穴２４へ挿入された状態を維持する。
【００３１】
この調整用錘３０を他の重さや形状のものへ交換したい場合、すなわち調整用錘３０をルアー本体２０から取り外すには、まず、リング状部材２３に対して調整用錘３０がルアー本体２０へ装着された状態を解除するため、リング状部材２３をライン１０側へずらす。そして、調整用錘３０の挿入片３２をルアー本体２０の挿入片用穴２５から引き抜き、調整用錘３０の挿入軸３１をルアー本体２０の挿入軸用穴２４から引き抜き、調整用錘３０をルアー本体２０から取り外す。
挿入片３２および挿入片３２において同じ寸法を備えた調整用錘３０について、重量や大きさが異なる複数種類を用意しておくことで、ライン１０を切断することなく釣り人が状況に応じて使い分けることができる。
【００３２】
（第二の実施形態）
第二の実施形態について、図４を参照しながら説明する。
この実施形態では、リング状部材として、ルアー本体２０におけるラインアイ２１側にて回転可能であるように設けられたＣリング２３Ａを採用している。
このＣリング２３Ａを採用した場合、調整用錘３０の着脱時に、Ｃリング２３Ａの溝部分と、挿入軸用穴２４とを一致させることで、調整用錘３０の挿入軸３１の出し入れが可能となる。
調整用錘３０を装着した状態を維持するためには、Ｃリング２３Ａの溝部分が挿入軸用穴２４と一致しない位置へ回転させればよい。したがって、ライン１０を切断することなく釣り人が状況に応じて使い分けることができる。
【００３３】
（第三の実施形態）
第三の実施形態について、図５を参照しながら説明する。
この実施形態では、ルアー本体２０と調整用錘３０Ａとの関係を第一の実施形態とは反対としている。すなわち、ルアー本体２０には、ラインアイ２１側において釣り針２２側へ向く棒状の挿入軸２７と、その挿入軸２７に対してルアー本体２０の長手方向における反対側であって調整用錘側へ凸となる挿入片２６と、を備える。そして、調整用錘３０Ａは、ルアー本体２０の挿入軸２７が挿入される挿入軸用穴３３と、ルアー本体２０の挿入片２６が挿入される挿入凹部３４と、を備えるのである。
【００３４】
装着維持機構としては、挿入軸２７が挿入軸用穴３３へ挿入された状態を維持するためのリング状部材４０として、ラインアイ２１を端部とした輪ゴムを採用する。そして、そのリング状部材４０を調整用錘３０Ａに引っ掛けることで調整用錘３０Ａをラインアイ２１へ付勢し、調整用錘３０を装着した状態を維持するのである。
【００３５】
この調整用錘３０Ａの着脱時には、調整用錘３０Ａに引っ掛けていたリング状部材４０を外し、挿入凹部３４を挿入片２６から外し、挿入軸用穴３３から挿入軸２７を引き出すことで、調整用錘３０Ａのルアー本体２０との着脱が可能となる。したがって、ライン１０を切断することなく釣り人が状況に応じて使い分けることができる。
【００３６】
（第四の実施形態）
第四の実施形態について、図６を参照しながら説明する。
この実施形態では、調整用錘３０Ｂは、ラインアイ２１側においてラインアイ２１方向へ向く棒状の挿入軸３１と、その挿入軸３１に対してルアー本体２０の長手方向における反対側にてルアー本体２０とは反対側へ凹となる挿入凹部３４と、を備える。また、ルアー本体２０は、挿入軸３１が挿入される挿入軸用穴２４と、前記の挿入凹部３４へ挿入される挿入片２６と、を備える。
挿入軸２７が挿入軸用穴３３へ挿入された状態を維持するためのリング状部材４０としてラインアイ２１を端部とした輪ゴムを採用した点は、第三の実施形態と同様である。
【００３７】
図示は省略するが、ルアー本体は、ラインアイ側において釣り針側へ向く棒状の挿入軸と、その挿入軸に対してルアー本体の長手方向における反対側であって調整用錘とは反対側へ凹となる挿入凹部と、を備えることとしてもよい。
一方の調整用錘は、前記の挿入軸が挿入される挿入軸用穴と、前記の挿入凹部へ挿入される挿入片と、を備える。
【００３８】
以上の実施形態においても、ラインを切断することなく釣り人が状況に応じて使い分けることができる。
【００３９】
（調整用錘のバリエーション）
図７（ａ），（ｂ），（ｃ），（ｄ）を参照しながら、調整用錘のバリエーションを説明する。図７（ａ），（ｂ），（ｃ），（ｄ）のいずれも、挿入軸３１および調整錘３０の材質や形状を同じものとしている。
【００４０】
図７（ａ）および（ｂ）は、挿入軸３１および調整錘３０の材質や形状を変更することなく、挿入片３２の位置を変更した場合を示している。ここで、挿入片３２における前後方向寸法を「Ｌ」とし、調整錘３０の前端と挿入軸３１の根元との距離を「Ｍ」とし、図７（ａ）をＭ１、図７（ｂ）をＭ２とした場合、Ｍ１＜Ｍ２とする。
このようにすれば、ルアー本体２０へ装着された場合のルアー全体における重心位置が前後方向にて変更できる。
なお、ルアー本体２０と調整錘３０とは、できる限り密着するように形成する。ルアー本体２０と調整錘３０との隙間にラインが入ることでラインが絡んでしまうことを防止するためである。
【００４１】
図７（ｃ）および（ｄ）は、挿入軸３１、挿入片３２および調整錘３０の材質や形状を変更することなく、挿入片３２および調整錘がなす角度を変更した場合を示している。
図７（ｃ）では、ルアー本体２０へ調整錘３０が装着された場合にルアー本体２０および調整錘３０が接している面は、挿入軸３１の長手方向とほぼ一致させた場合を示している
図７（ｄ）では、ルアー本体２０へ調整錘３０が装着された場合にルアー本体２０および調整錘３０が接している面は、挿入軸３１の長手方向と角度Ｎをなし、挿入軸３１に近い部位がルアー本体２０から離れるようにしてルアー本体２０と装着されることとなる。
なお、ルアー本体２０と調整錘３０との隙間にラインが入ることでラインが絡んでしまうことを防止するために、調整錘２０の前面部分が丸みを帯びた形状とする、といった工夫をすることは望ましい。
【産業上の利用可能性】
【００４２】
本発明は、釣り具の製造業、販売業またはレンタル業、アウトドアスポーツのインストラクター事業などにおいて、利用可能性を有する。
【符号の説明】
【００４３】
１  ；ルアー本体（従来）            ２  ；ライン
３  ；掛針                          ４  ；錘
５  ；錘
１０  ；ライン                      １１  ；端部リング
２０  ；ルアー本体                  ２１  ；ラインアイ
２２  ；掛針
２３  ；リング状部材                ２３Ａ；Ｃリング
２４  ；挿入軸用穴                  ２５  ；挿入片用穴
２６  ；挿入片                      ２７  ；挿入軸用穴
３０  ；調整用錘                    ３０Ａ；調整用錘
３０Ｂ；調整用錘
３１  ；挿入軸                      ３２  ；挿入片
３３  ；挿入軸用穴                  ３４  ；挿入凹部
４０  ；維持状部材（輪ゴム）
【図１】
2016140253.tif 000003
【図２】
2016140253.tif 000004
【図３】
2016140253.tif 000005
【図４】
2016140253.tif 000006
【図５】
2016140253.tif 000007
【図６】
2016140253.tif 000008
【図７】
2016140253.tif 000009
【図８】
2016140253.tif 000010